(57)【要約】【課題】  いかなる状態においてもスタイラスペンの良好な入力操作性を提供することができる電子機器を実現することにある。【解決手段】  本発明に係る電子機器１０は、画像表示部１４にタッチパネル１３を備え、スタイラスペン１により入力可能な電子機器であって、タッチペン１は、磁石３を有しており、電子機器１０は、画像表示部１４及び磁性体１５を備え、磁性体１５は、タッチパネル１３と略同面積であって、かつ画像表示部１４の表示面側または裏面側に配置されており、磁性体１５は、スタイラスペン１の磁石３と引き合うよう構成されていることを特徴とする。【選択図】  図１
2014044459.tif 000002
【特許請求の範囲】
【請求項１】
画像表示部にタッチパネルを備え、スタイラスペンにより入力可能な電子機器であって、
前記スタイラスペンは、磁石を有しており、
前記電子機器は、画像表示部及び磁性体を備え、
前記磁性体は、前記タッチパネルと略同面積であって、かつ前記画像表示部の表示面側または裏面側に配置されており、
前記磁性体は、前記スタイラスペンの前記磁石と引き合うよう構成されていることを特徴とする電子機器。
【請求項２】
タッチセンサを内蔵した画像表示部を備え、スタイラスペンにより入力可能な電子機器であって、
前記スタイラスペンは、磁石を有しており、
前記電子機器は、画像表示部並びに磁性体を備え、
前記磁性体は、前記画像表示部と略同面積であって、かつ前記画像表示部の表示面側または裏面側に配置されており、
前記磁性体は、前記スタイラスペンの前記磁石と引き合うよう構成されていることを特徴とする電子機器。
【請求項３】
前記スタイラスペンは、調節部及び電磁石を有しており、
前記調節部は、前記電磁石の磁力の強さを調節するものであることを特徴とする請求項１または２のいずれかに記載の電子機器。
【請求項４】
前記スタイラスペンは、制御部、加速度センサ及び電磁石を有しており、
前記制御部は、前記加速度センサの傾きに応じて、前記電磁石の磁力の強さを制御することを特徴とする請求項１または２のいずれかに記載の電子機器。
【請求項５】
前記スタイラスペンは、制御部及び電磁石を有しており、
前記制御部は、前記電磁石から送信された情報に応じて、前記電磁石の磁力の強さを制御するものであることを特徴とする請求項１または２のいずれかに記載の電子機器。
【請求項６】
前記電子機器は、加速度センサを有し、
前記情報は、前記加速度センサの傾きを含む情報であることを特徴とする請求項５に記載の電子機器。
【請求項７】
画像表示部にタッチパネルを備える電子機器であって、
前記タッチパネルと略同面積の磁性体を備え、
前記磁性体は、前記画像表示部の表示面側または裏面側に配置されていることを特徴とする電子機器。
【請求項８】
タッチセンサを内蔵した画像表示部を備える電子機器であって、
前記画像表示部と略同面積の磁性体を備え、
前記磁性体は、前記画像表示部の表示面側または裏面側に配置されていることを特徴とする電子機器。
【請求項９】
電磁石、加速度センサ及び制御部を備え、
前記制御部は、前記加速度センサの傾きに応じて、前記電磁石の磁力の強さを制御することを特徴とするスタイラスペン。
【発明の詳細な説明】
【技術分野】
【０００１】
本発明は、タッチパネルが搭載された電子機器、電子機器に用いられるスタイラスペンに関するものである。
【背景技術】
【０００２】
スマートフォンやＰＤＡ（Ｐｅｒｓｏｎａｌ  Ｄｉｇｉｔａｌ  Ａｓｓｉｓｔａｎｔ）、タブレット端末などの電子機器に感圧方式あるいは静電容量方式のタッチパネルが搭載されることが増してきた。タッチパネルを搭載することで、指やスタイラスペンなどにより表示画面上で文字を書き込んだり、情報を選択したりすることができるようになる。また、スタイラスペンを用いた場合、シャープペンシル等で紙などに筆記する感覚で電子機器への文字入力を行うことができるため、キーボードなどの操作に慣れてないユーザにとっても使い易いものとなっている。しかし、スタイラスペンを接触させるパネル板は、ハードコート層付きのアクリル板やガラス板など紙よりも硬い材料で構成されているため、紙に書く場合と比べるとスタイラスペンがパネル板上で滑ってしまい書きづらいという点で問題があった。
【０００３】
上記の事情を考慮して、特許文献１では、書き味に優れるペン入力用タッチパネルが開示されており、図７は、特許文献１のペン入力用タッチパネルの断面図である。特許文献１のペン入力用タッチパネルは、導電性薄膜１０１、１０２を有する一対のパネル板１０３、１０４を導電性薄膜１０１、１０２同士が対向するようにスペーサ１０５を介して対向配置した抵抗膜方式のものである。ここで、入力ペン１０６を接触させる側のパネル板１０３を、表面処理層付き透明部材１０７に透明粘着剤層１０８を介して導電性薄膜付き透明部材１０９を貼り合わせた構造として、表面の鉛筆硬度を２Ｈ以上、入力ペン１０６に対する動摩擦係数を０．０２〜０．３０とし、かつ荷重３００ｇで入力ペン１０６を接触させたときに２０〜１００μｍの深さまで沈み込み、荷重を取り除くと元の状態に戻る弾性変形性を備えたものとする。このように構成することで、入力ペンに対する耐擦傷性と書き味にともにすぐれるペン入力用タッチパネルが得られる。
【先行技術文献】
【特許文献】
【０００４】
【特許文献１】特開平６−３０９９９０号公報（平成６年１１月４日公開）
【発明の概要】
【発明が解決しようとする課題】
【０００５】
しかしながら、特許文献１の技術では、ペン入力用タッチパネルを机などの上に置いて入力ペンで入力を行う場合、良好な書き味が得られるが、使用状況によっては、良好な書き味を得られないときがある。例えば、ペン入力用タッチパネルを垂直に立てて側方から入力を行う場合や、仰向けになり、ペン入力用タッチパネルを逆さにし、重力に逆らって入力を行う場合、通常時と入力ペンによるペン入力用タッチパネルへの筆圧が変わるため、入力ペンに対する動摩擦係数が変化し、書き味が低下してしまう。
【０００６】
本発明は、このような課題に鑑みてなされたものであり、その目的は、いかなる状態においてもスタイラスペンの良好な入力操作性を提供することができる電子機器を実現することにある。
【課題を解決するための手段】
【０００７】
本発明に係る電子機器は、画像表示部にタッチパネルを備え、スタイラスペンにより入力可能な電子機器であって、タッチペンは、磁石を有しており、電子機器は、画像表示部及び磁性体を備え、磁性体は、タッチパネルと略同面積であって、かつ画像表示部の表示面側または裏面側に配置されており、磁性体は、スタイラスペンの磁石と引き合うよう構成されていることを特徴とする。
【０００８】
本発明に係る電子機器は、タッチセンサを内蔵した画像表示部を備え、スタイラスペンにより入力可能な電子機器であって、タッチペンは、磁石を有しており、電子機器は、画像表示部並びに磁性体を備え、磁性体は、タッチパネルと略同面積であって、かつ画像表示部の表示面側または裏面側に配置されており、磁性体は、スタイラスペンの磁石と引き合うよう構成されていることを特徴とする。
【０００９】
また、スタイラスペンは、調節部及び電磁石を有しており、調節部は、電磁石の磁力の強さを調節するものであることを特徴としても良い。また、スタイラスペンは、制御部、加速度センサ及び電磁石を有しており、制御部は、加速度センサの傾きに応じて、電磁石の磁力の強さを制御することを特徴としても良い。また、スタイラスペンは、制御部及び電磁石を有しており、制御部は、電磁石から送信された情報に応じて、電磁石の磁力の強さを制御するものであることを特徴としても良い。
【００１０】
本発明に係るスタイラスペンは、電磁石と、加速度センサと、制御部を備え、制御部は、加速度センサの傾きに応じて、電磁石の磁力の強さを制御することを特徴とする。
【発明の効果】
【００１１】
本発明によれば、スタイラスペンで電子機器に書き込みを行う際、いかなる状態であっても、良好な入力操作性を提供することができる。
【図面の簡単な説明】
【００１２】
【図１】実施形態１に係るスタイラスペン及び電子機器の説明図である。
【図２】実施形態２に係る電子機器の説明図である。
【図３】実施形態３に係るスタイラスペンの説明図である。
【図４】本発明に係るスタイラスペン及び電子機器の使用状況を説明した図である。
【図５】実施形態４に係るスタイラスペンの説明図である。
【図６】実施形態５に係るスタイラスペン及び電子機器の説明図である。
【図７】特許文献１に係るペン入力用タッチパネルの断面図である。
【発明を実施するための形態】
【００１３】
以下、本発明の実施の形態について図面に基づいて説明する。なお、本発明の図面において、同一の参照符号は、同一部分又は相当部分を表わすものとする。また、各部分の長さ、幅、厚さ、深さなどの寸法関係は図面の明瞭化と簡略化のために適宜変更されており、実際の寸法関係を表わすものではない。
【００１４】
〔実施形態１〕
図１は、本発明に係るスタイラスペン１及びタッチパネルを備えた電子機器１０の説明図である。スタイラスペン１は、タッチパネルを搭載した電子機器１０に対して、文字を書き込んだり、情報を選択するときの入力装置として用いられる。電子機器１０は、タッチパネルを搭載したスマートフォン、ＰＤＡ、タブレット端末、電子黒板などから構成される。
【００１５】
スタイラスペン１は、筐体２と磁石３を備えており、磁石３は筐体２の内部に配置される。筐体２は、シャープペンシルやボールペンと同様にユーザが支持する部分であり、その先端部にペン先４を備える。筐体２は、中空の棒状であり、断面形状は円状、多角形状など様々である。ペン先４は、電子機器１０と接触する部分であり、透磁性の高い素材からなる。本実施形態では、ペン先４は、鉄からなる。
【００１６】
磁石３は、磁力を発する物質であればよく、筐体２の内部かつペン先４の近傍に配置される。本発明において、磁石３は、永久磁石あるいは電磁石のことを示す。実施形態１では、永久磁石の一つであるフェライト磁石を用いた。また、磁石３は、筐体２の先端部に配置され、ペン先４の機能を有しても良い。
【００１７】
タッチパネルを備えた電子機器１０は、筐体１１、保護カバー１２、タッチパネル１３、画像表示部１４、磁性体１５を含んで構成される。保護カバー１２、タッチパネル１３、画像表示部１４、磁性体１５は、ほぼ同面積であり、筐体１１の外側から保護カバー１２、タッチパネル１３、画像表示部１４、磁性体１５の順に重なって配置している。筐体１１は、電子機器１０の外観を構成し、プラスチックなどからなる。
【００１８】
保護カバー１２は、画像表示部１４を保護する機能を有し、画像表示部１４の表示面側に配置している。ユーザは、文字を書き込んだり、情報を選択するときに、指やスタイラスペン１などを保護カバー１２に接触させる。保護カバー１２は、ポリエチレンテレフタラート（ＰＥＴ（Ｐｏｌｙ−Ｅｔｈｙｌｅｎｅ  Ｔｅｒｅｐｈｔｈａｌａｔｅ））やポリプロピレン（ＰＰ（Ｐｏｌｙ−Ｐｒｏｐｙｌｅｎｅ））などの材料により透過性を有して形成される。
【００１９】
タッチパネル１３は、指やスタイラスペン１などによる入力操作を検出する機能を有しており、指やスタイラスペン１などによる入力操作を検出するタッチセンサを内蔵している。タッチパネル１３には、薄型化が可能な感圧方式もしくは、静電容量方式のタッチパネルを用いることが望ましいが、赤外線遮断方式またはカメラ方式等を用いてもよい。
【００２０】
画像表示部１４は、画像を表示する機能を有し、筐体１１の内部かつ保護カバー１２と磁性体１５の間に配置される。画像表示部１４は、画像を表示するものであればよく、カラー表示やモノクロ表示を問わず、液晶パネルや有機ＥＬなどで構成される。
【００２１】
磁性体１５は、スタイラスペン１の磁石３の磁力と反応する性質を有し、筐体１１の内部で、画像表示部１４の裏面側に配置される。磁性体１５は、スタイラスペン１の磁石３と引き合うよう磁力を遮らないように配置する必要がある。磁性体１５は、スタイラスペン１の磁石３の磁力と引き合い、電子機器１０は、スタイラスペン１を引き付ける。
【００２２】
従来、硬い材料で構成されている保護カバー上にスタイラスペンを接触させ入力を行う場合、シャープペンシルで紙に書く場合と比べると、スタイラスペンが保護カバー上で滑ってしまい書きづらかった。本発明によれば、スタイラスペン１と電子機器１０が引き合うことによって、スタイラスペン１と保護カバー１２の間の摩擦力を大きくすることができるため、スタイラスペンが滑りにくくなり、入力操作がしやすくなる。
【００２３】
さらに、重力に逆らってスタイラスペン１を使用する場合でも、スタイラスペン１は、電子機器１０に引き付けられるため、ユーザは従来よりも力を入れることなく、スタイラスペン１による入力操作をすることが可能となる。例えば、ベッドに仰向けになったまま、電子機器１０を手に持ち、スタイラスペンで文字を書き込んだりする場合や、筐体１１が垂直に立っている電子機器１０にスタイラスペンで文字を書き込んだりする場合などが当てはまり、このような場合、スタイラスペンにかける力を軽減することができ、ユーザにスタイラスペンの良好な入力操作性を提供することができる。
【００２４】
磁性体１５の素材としては、鉄、アルミ合金、二酸化チタン等が挙げられ、本実施形態では、磁性の強い鉄を用いた。また、磁性体１５の形状は、粉末状や板状など限定されるものではないが、均一な磁力を生じさせるために、厚さの均一な薄板などが好ましい。
【００２５】
なお、保護カバー１２は、画像表示部１４より上部に配置していればよく、タッチパネル１３と配置順序を入れ替えても良い。
【００２６】
また、タッチパネル１３を除き、指やスタイラスペン１などによる入力操作を検出するタッチセンサを保護カバー１２あるいは画像表示部１４に内蔵させても良い。タッチセンサを保護カバー１２あるいは画像表示部１４に内蔵させることによって、タッチパネル１３への入力操作を検出する機能を保護カバー１２あるいは画像表示部１４に備えることができる。これにより、タッチパネル１３を除くことができるため、電子機器１０の薄型化が可能となる。
【００２７】
〔実施形態２〕
次に、本発明に係る電子機器の一実施形態について、図面に基づいて説明する。実施形態２の電子機器１６は、磁性体が保護カバー１７に内蔵されている点が実施形態１の電子機器１０と異なるが、その他の構成や各々の機能等は同様である。
【００２８】
図２は、実施形態２に係るタッチパネルを備えた電子機器１６の説明図である。電子機器１６は、筐体１１、保護カバー１７、タッチパネル１３、画像表示部１４を含んで構成される。筐体１１、タッチパネル１３、画像表示部１４は、実施形態１と同様の構成・機能を有する。
【００２９】
保護カバー１７は、磁性体を内部に有している点が実施形態１の保護カバー１２と異なる。このとき、磁性体を含んだ保護カバー１７は画像表示部１４の表示面側に配置されることになるので、透明な磁性体を用いる必要があり、例えば二酸化チタンを用いる。このように磁性体を保護カバー１７に内蔵することによって、電子機器１６の磁性体とスタイラスペン１の磁石３の間の距離を短くすることができるため、磁力の感度が高まる。また、実施形態１の電子機器１０と比べて、磁性体１５に相当する部品を筐体１１の内部から除くことができるため、電子機器１６の薄型化が可能となる。
【００３０】
〔実施形態３〕
次に、本発明に係るスタイラスペンの一実施形態について、図面に基づいて説明する。実施形態３のスタイラスペン２１は、磁石が電磁石である点が実施形態１のスタイラスペン１と異なり、電磁石の磁力の強さを調節することができる。
【００３１】
図３は、実施形態３に係るスタイラスペン２１の説明図である。スタイラスペン２１は、筐体２、電磁石２２、調節部２３、制御部２４、電池２５を含んで構成され、少なくとも電磁石２２、制御部２４、電池２５は筐体２の内部に備わる。筐体２は、実施形態１と同様の構成・機能を有しており、先端部にはペン先４を備える。
【００３２】
電磁石２２は、磁性材料の芯のまわりに、コイルを巻き、コイルに電流を流すことによって一時的に磁力を発生させる磁石であり、筐体２の内部かつペン先４の近傍に備わる。本実施形態では、芯は鉄、コイルは銅線からなる。電磁石２２の磁力の強さは、コイルに流す電流の大きさに比例する。また、電磁石２２の芯は、一端を伸ばすことによって、ペン先４としての機能を有しても良い。
【００３３】
調節部２３は、筐体２のペン先４と逆端部に備わり、電磁石２２の磁力のＯＮ／ＯＦＦや電磁石２２の磁力の強さを調節する機能を有する。ユーザは、調節部２３を操作することで、電磁石２２の磁力を発生させたり、電磁石２２の磁力の強さを調節することができる。図３では、調節部２３は、筐体２のペン先４と逆端部に備わり、ユーザは調節部２３を回すことによって、電磁石２２の磁力の強さを６段階で調節できるようになっている。なお、調節部２３の値を０に設定した場合、電磁石２２に電流が流れないようにし、電磁石２２の磁力をゼロにしている。
【００３４】
調節部２３は、ユーザが電磁石２２の磁力の強さを調節する機能を有していればよく、形状や段階の数はこれに限るものではない。例えば、スイッチからなり、押す回数等により、電磁石の磁力の強さを調節することができるようにしても良い。
【００３５】
制御部２４は、電磁石２２の磁力の強さを制御する機能を有し、ＣＰＵ等からなる。制御部２４は、調節部２３から電磁石２２の磁力の強さに関する値を読み取り、その値に応じた大きさの電流を電磁石２２のコイルに流す。
【００３６】
電池２５は、制御部２４を含むスタイラスペン２１に搭載されている電子部品を実行させるためのものであり、筐体２の内部に備わる。本実施形態では、電池２５は、乾電池からなるが、充電可能な蓄電池から構成されていても良い。
【００３７】
次に、制御部２４による電磁石２２の磁力の強さの制御方法について説明する。本実施形態ではＰＷＭ（Ｐｕｌｓｅ  Ｗｉｄｔｈ  Ｍｏｄｕｌａｔｉｏｎ）制御を用いて電磁石２２のコイルに流す電流値を制御した。ＰＷＭ制御は、パルスのオンとオフの一定周期のうち、オンの時間幅に比例した電流値を得る制御方法である。実施形態１では、ユーザが設定した調節部２３の値とダイヤルの段階数からパルスのオンの時間幅を決定し、電磁石２２のコイルに流す電流値を出力する。電磁石２２の磁力の強さは、コイルに流す電流の大きさに比例する。
【００３８】
なお、制御部２４による電磁石２２の磁力の強さの制御方法は、コイルに流す電流値を制御できれば良く、ＰＷＭ制御に限るものではない。例えば、制御部２４として可変抵抗を配置し、調節部２３の値に連動して抵抗値を変化させ、電磁石２２のコイルに流す電流値を制御してもよい。
【００３９】
図４は、スタイラスペン２１と電子機器１０の使用状況について説明した図である。図４（ａ）は、通常時の使用を表しており、例えば、電子機器１０を机の上やひざの上に置き、スタイラスペン２１を操作している状況等を示している。この場合、ユーザはしっかり力を込めてスタイラスペン２１を操作することができるため、電子機器１０がスタイラスペン２１を引き付ける力は小さくても良い。そのため、ユーザは、調節部２３の値を０あるいは比較的小さな値に設定すれば良い。
【００４０】
図４（ｂ）は、例えば、筐体１１を立てるように電子機器１０を手に持って、スタイラスペン２１により入力を行う状況や電子黒板のような筐体１１が垂直に立っている電子機器１０にスタイラスペン２１で文字を書き込む状況等を示している。この場合、ユーザは図４（ａ）の状況に比べると、スタイラスペン２１に力を込めにくくなる。そのため、ユーザは調節部２３の値を図４（ａ）のときに設定した値よりも大きくすることによって、電子機器１０がスタイラスペン２１を引き付ける力を大きくし、入力操作性を向上させることができる。
【００４１】
図４（ｃ）は、例えば、ベッドに仰向けになったまま、電子機器１０を手に持って、スタイラスペン２１により入力を行う状況等を示している。この場合、電子機器１０が不安定な上に、スタイラスペン２１を重力に逆らって使用するため、スタイラスペン２１を使用しにくくなる。そのため、ユーザは調節部２３の値を比較的大きな値に設定することによって、電子機器１０がスタイラスペン２１を引き付ける力を大きくし、ユーザがスタイラスペンにかける力を軽減することができ、入力操作性を向上させることができる。
【００４２】
以上のように、ユーザはスタイラスペン２１に備わる調節部２３を操作することで、スタイラスペン２１の電磁石２２の磁力の強さを調節することができる。その結果、ユーザは、使用状況に応じて、良好な入力操作性を得ることができる。
【００４３】
また、電磁石２２の磁力の強さを調節することによって、スタイラスペン２１のペン先４と電子機器１０の保護カバー１２の間の摩擦力を変化させることができる。スタイラスペン２１で文字を書き込むとき、摩擦力が小さすぎると、滑りやすくなり、摩擦力が大きすぎると、滑りが悪く重たくなるため、文字が書きづらくなる。また、入力操作性が良いと感じる条件は、個人差がある。これらを考慮して、スタイラスペン２１の電磁石２２の磁力の強さを調節することによって、電子機器１０がスタイラスペン２１を引き付ける力を調節し、ユーザに合った摩擦力を提供する。例えば、電磁石２２の磁力の強さを小さくすると、電子機器１０がスタイラスペン２１を引き付ける力が小さくなり、スタイラスペン２１と電子機器１０の間の摩擦力が小さくなる。一方、電磁石２２の磁力の強さを大きくすると、電子機器１０がスタイラスペン２１を引き付ける力が大きくなり、スタイラスペン２１と電子機器１０の間の摩擦力が大きくなる。このように、ユーザごとに最適な入力操作性を実現することができる。
【００４４】
〔実施形態４〕
実施形態４のスタイラスペン３１は、調節部の代わりに加速度センサ３２を備えている点が実施形態３のスタイラスペン２１と異なるが、その他の構成や各々の機能等は同様である。
【００４５】
図５は、実施形態２に係るスタイラスペン３１の説明図である。スタイラスペン３１は、加速度センサ３２を筐体２の内部に備えている。
【００４６】
加速度センサ３２は、重力に対するスタイラスペン３１の傾きを検出する機能を有し、ゲーム機や携帯電話などで用いられている一般的な加速度センサと同様のもので良い。加速度センサ３２は、スタイラスペン３１の傾きを検出し、制御部２４は、スタイラスペン３１の傾きに関する情報を取得する。制御部２４は、その情報からユーザがどのような状況でスタイラスペン３１及び電子機器１０を使用しているかを分析する。その分析結果に基づいて、制御部２４は、電磁石２２の磁力の強さを制御する。
【００４７】
例えば、加速度センサ３２が検出したスタイラスペン３１の傾きから、制御部２４は、ユーザがスタイラスペン３１及び電子機器１０を図４（ａ）〜（ｃ）のどれに近い状況で使用しているかを分析する。ペン先４が下に向いている図４（ａ）に近いと分析した場合、制御部２４は、電磁石２２の磁力の強さを比較的小さくするように制御する。一方、ペン先４が上に向いている図４（ｃ）に近いと分析した場合、制御部２４は、電磁石２２の磁力の強さを比較的大きくするように制御する。
【００４８】
また、加速度センサ３２は、手に持つ付近に配置するほうが良い。仮に、スタイラスペン３１のペン先４と逆端付近に加速度センサ３２を配置した場合、スタイラスペン３１で書き込みをしている間、加速度センサ３２の振れ幅が大きくなってしまい、電磁石２２の磁力の強さが大きく変動してしまう可能性がある。この場合、書いている間に電子機器１０がスタイラスペン３１を引き付ける力が変動してしまうため、使用性が悪くなってしまう。このことから、手に持つ付近に加速度センサ３２を配置することで、スタイラスペン３１で書き込みをしている間でも、加速度センサ３２の振れ幅は小さく、電磁石２２の磁力の強さの変動は小さくなる。そのため、違和感なくスタイラスペン３１を使用することができる。
【００４９】
以上のように、スタイラスペン３１に内蔵する加速度センサ３２によりスタイラスペン３１の傾きを検出することで、スタイラスペン及び電子機器の使用状況を分析し、その状況に合わせてスタイラスペン３１の電磁石２２の磁力の強さを調節する。その結果、ユーザは、使用状況に応じて、自動的に良好な入力操作性を得ることができる。
【００５０】
〔実施形態５〕
実施形態５のスタイラスペン４１は、調節部の代わりに通信モジュール４２を備えている点が実施形態２のスタイラスペン１と異なるが、その他の構成や各々の機能等は同様である。
【００５１】
図６は、実施形態２に係るスタイラスペン４１及び電子機器５１の説明図である。スタイラスペン４１は、通信モジュール４２を筐体２の内部に備えており、電子機器５１は、通信モジュール５２を筐体１１の内部に備えている。通信モジュール４２及び通信モジュール５２は、それぞれの間で通信する機能を有しており、ここでは主にスタイラスペン４１の電磁石２２の磁力の強さに関する情報を通信する。
【００５２】
ユーザは、スタイラスペン４１を用いて、電子機器５１上でスタイラスペン４１の電磁石２２の磁力の強さを設定する。電子機器５１は、その情報を通信モジュール５２から通信モジュール４２に送る。制御部２４は、通信モジュール４２からその情報を取得し、その情報に基づいて電磁石２２の磁力の強さを制御する。
【００５３】
以上のように、ユーザはスタイラスペン４１を用いて、電子機器５１上でスタイラスペン４１の電磁石２２の磁力の強さを制御することができる。その結果、ユーザは、個人の好みや使用状況に応じて、良好な入力操作性を得ることができる。
【００５４】
また、電子機器５１に加速度センサを搭載し、加速度センサにより電子機器５１の傾きを検出することで、スタイラスペン４１及び電子機器５１の使用状況を分析し、その状況に合わせてスタイラスペン１の電磁石２２の磁力の強さを調節しても良い。このとき、電子機器５１に搭載される加速度センサから得た情報は、通信モジュール５２から通信モジュール４２に送られ、制御部２４は、通信モジュール４２からその情報を取得し、その情報に基づいて電磁石２２の磁力の強さを制御する。その結果、ユーザは、使用状況に応じて、自動的に良好な入力操作性を得ることができる。
【００５５】
以上、本発明の実施形態について説明したが、本発明は上記の実施形態に限定されるものではなく、本発明の範囲は特許請求の範囲によって示され、特許請求の範囲と均等の意味および範囲内でのすべての変更が含まれることが意図される。
【符号の説明】
【００５６】
１、２１、３１、４１  スタイラスペン
２  筐体
３  磁石
４  ペン先
１０、１６、５１  電子機器
１１  筐体
１２  保護カバー
１３  タッチパネル
１４  画像表示部
１５  磁性体
１７  保護カバー
２２  電磁石
２３  調節部
２４  制御部
２５  電池
３２  加速度センサ
４２  通信モジュール
５２  通信モジュール
【図１】
2014044459.tif 000003
【図２】
2014044459.tif 000004
【図３】
2014044459.tif 000005
【図４】
2014044459.tif 000006
【図５】
2014044459.tif 000007
【図６】
2014044459.tif 000008
【図７】
2014044459.tif 000009